(57)【特許請求の範囲】
【請求項１】
遮光性のある平行四辺形のシート片に、２つのＶ字が前記平行四辺形の重心付近を残して対向するように切り込みを入れ、Ｖ字をなして対向する２つの角部を互いに接合してブリッヂ部を形成し、ブリッヂ部を形成したシート片を複数継ぎ合わせて一枚のシートを形成したことを特徴とする日除け用シート。
【請求項２】
遮光性のある一枚のシート材に対し複数の平行四辺形を割り付け、割り付けた平行四辺形に、２つのＶ字が平行四辺形の重心付近を残して対向するように切り込みを入れ、Ｖ字をなして対向する２つの角部を互いに接合してブリッヂ部を形成したことを特徴とする日除け用シート。
【請求項３】
縦紐および横紐から構成されるとともに遮光性のある一枚のシート材に対し複数の平行四辺形を割り付け、割り付けた平行四辺形に、同平行四辺形の重心に近付くにつれて２つの線が互いに接近するハの字をなす切り込みを、平行四辺形の重心付近に位置する縦紐および横紐を残して対向するように入れ、ハの字をなして対向する２つの角部が平行四辺形の重心付近に位置する縦紐または横紐を介してブリッヂ部を形成することを特徴とする日除け用シート。
【請求項４】
遮光性のある平行四辺形のシート片を用意する工程と、前記シート片の、平行四辺形の対向する２辺の中点を結ぶ２本の線の交点を重点とし、ｉ番目の平行四辺形の対向する２辺の中点を結ぶ２本の線に沿って対向する２つのＶ字をなすように各中点および重心の近くを残して切り込みを入れることにより、ｉ番目の平行四辺形に一辺の長さをその半分とするｉ＋１番目の平行四辺形を４つ形成する処理を、Ｎ回だけ繰り返す工程と、各平行四辺形の、Ｖ字をなして対向する２つの角部を互いに接合してブリッヂ部を形成する工程と、前記ブリッヂ部を形成したシート片を複数継ぎ合せて一枚のシートに形成する工程とを備えることを特徴とする、日除け用シートの製造方法。
【請求項５】
遮光性のある一枚のシート材を用意する工程と、前記シート材に平行四辺形を複数割り付ける工程と、割り付けた平行四辺形の対向する２辺の中点を結ぶ２本の線の交点を重点とし、ｉ番目の平行四辺形の対向する２辺の中点を結ぶ２本の線に沿って対向する２つのＶ字をなすように各中点および重心の近くを残して切り込みを入れることにより、ｉ番目の各平行四辺形に一辺の長さをその半分とするｉ＋１番目の平行四辺形を４つずつ形成する処理を、Ｎ回だけ繰り返す工程と、各平行四辺形の、Ｖ字をなして対向する２つの角部を互いに接合してブリッヂ部を形成する工程とを備えることを特徴とする日除け用シートの製造方法。
【請求項６】
縦紐および横紐から構成されるとともに遮光性のある一枚のシート材を用意する工程と、前記シート材に平行四辺形を複数割り付ける工程と、割り付けた平行四辺形の対向する２辺の中点を結ぶ２本の線の交点を重点とし、ｉ番目の平行四辺形の対向する２辺の中点を結ぶ２本の線に沿って同平行四辺形の重心に近付くにつれて２つの線が互いに接近するハの字をなす切り込みを、平行四辺形の重心付近に位置する縦紐および横紐を残して対向するように入れることにより、ｉ番目の各平行四辺形に一辺の長さをその半分とするｉ＋１番目の平行四辺形を４つずつ形成する処理を、Ｎ回だけ繰り返す工程とを備えることを特徴とする日除け用シートの製造方法。
【請求項７】
請求項１または請求項２に記載の日除け用シートを用い、複数の支持部材と、それらの支持部材間に架設された前記シートを具備してなり、前記シートは、Ｖ字をなす切り込みの外側部分が第１の日除け部を構成し、Ｖ字をなして対向する２つの角部を互いに接合してなるブリッヂ部が第２の日除け部を構成し、前記ブリッヂ部と切り込みとの間に通風空間が形成されることを特徴とする日除け。
【請求項８】
請求項３に記載の日除け用シートを用い、複数の支持部材と、それらの支持部材間に架設された前記シートを具備してなり、前記シートは、ハの字をなす切り込みの外側部分が第１の日除け部を構成し、ハの字をなして対向する２つの角部が平行四辺形の重心付近に位置する縦紐または横紐を介して形成するブリッヂ部が第２の日除け部を構成し、前記ブリッヂ部と切り込みとの間に通風空間が形成されることを特徴とする日除け。
【発明の詳細な説明】
【技術分野】
【０００１】
本発明は、日除け用シート、日除け用シートの製造方法および日除けに関するものである。
【背景技術】
【０００２】
都市のヒートアイランド現象は、特に夏場の冷房による電力消費量の増大や地球温暖化など、様々な面で大きな影響を及ぼしている。このため、従来より都市部においては、建物への屋上緑化設備の設置など、様々な対策を講じている。しかしながら、建物への屋上緑化設備はその設置費用やランニング・メンテナンス費用が高いという問題がある。【０００３】
一方、夏場の太陽光を遮光する簡易な手段の一つとしてパラソルやオーニングなどの日除けが用いられている。パラソルはベランダや庭、店外等に設置し、オーニングはベランダや店の軒先に設置される。しかしながら、従来のこのような日除けは太陽光の照射により日除け自体が熱をもち、日除けの下部に熱溜まりが発生しやすく、必ずしも涼しさを感じさせないという課題がある。【０００４】
そこで、上記従来技術のもつ問題や課題を解決するものとして、４以上の遮光性を有する日よけ部または熱伝導性を有する放熱部を備え、前記の日よけ部または放熱部が複数の三次元的なクラスター（例えばフラクタル構造）をなすように配置された日よけと放熱器、およびこれらの製造方法の提案がなされている（特許文献１）。かかる提案によると、従来の屋上緑化設備や日除けに比べ、効率よく温度上昇を抑制することができる。
【先行技術文献】
【特許文献】
【０００５】
【特許文献１】特開２００８−１９６２５４号公報
【発明の概要】
【発明が解決しようとする課題】
【０００６】
上記特許文献１の提案には、日よけや放熱器の製造方法として、日よけや放熱器の材に塑性変形可能な板材、例えばプラスチック板や金属板を用いることが提案されている。しかしながら、プラスチック板や金属板の塑性変形には専用の設備が必要で、特にフラクタル構造を実現するには成形上の困難が伴う。【０００７】
本発明は、以上の事情に鑑みてなされたもので、簡易な構造でフラクタル構造を実現し、温度抑制効果の高い日除け用シートとその製造方法および日除けを提供することを目的とする。
【課題を解決するための手段】
【０００８】
上記課題を解決するために、本発明に係る日除け用シートは、遮光性のある平行四辺形のシート片に、２つのＶ字が前記平行四辺形の重心付近を残して対向するように切り込みを入れ、Ｖ字をなして対向する２つの角部を互いに接合してブリッヂ部を形成し、ブリッヂ部を形成したシート片を複数継ぎ合わせて一枚のシートを形成したことを第１の特徴とする。【０００９】
シート片は、シート材を平行四辺形に切断して得られる。シート材は、柔軟性または折り畳み性のあるシート状素材であれば特に材質は問わない。キャンバス地、テント地、織物地、布地、ビニールシート、ブルーシートなどが適用可能である。また、アルミニウム等の折り畳み性のある金属素材も適用可能である。日除け用のシートとしては、遮光性以外に、耐水性、耐久性、耐候性に優れる素材が望ましい。【００１０】
本発明に係る日除け用シートによれば、平行四辺形のシート片に２つのＶ字の切り込みを入れるとともに、Ｖ字をなして対向する２つの角部を互いに接合してブリッヂ部を形成しておき、かかるブリッヂ部を形成したシート片を複数継ぎ合わせるだけでフラクタル構造をもつ日除け用シートを容易に得ることができる。【００１１】
「フラクタル構造」とは、複数のクラスター（塊又は集合体）を備える構造であって、各クラスターが階層的な構造をしており、各階層に属するクラスターの形状が互いに相似（自己相似）するものをいう。【００１２】
本発明に係る日除け用シートは、Ｖ字をなす切り込みの外側部分が第１の日除け部を構成し、Ｖ字をなして対向する２つの角部を互いに接合してなるブリッヂ部が第２の日除け部を構成し、前記ブリッヂ部と切り込みとの間に通風空間が形成される。すなわち、太陽光の照射を受けて、第１の日除け部および第２の日除け部が太陽光を遮蔽し、また、ブリッヂ部と切り込みとの間に形成される通風空間を風や空気が流通することにより、シート表面の熱およびシート内部（下部）に溜まる熱を逃がし、日除け効果を高める。【００１３】
本発明に係る日除け用シートは、広義には放熱用シートも含まれる。すなわち、太陽光の照射を受けても、シート自体の遮光性および通風性により、シート表面およびシート内部の熱を外に放出する作用を発揮する。例えば、夏季に駐車中の車に被せる遮熱兼放熱カバーや建物の外壁に取り付ける遮熱兼放熱カバーとして適用可能である。【００１４】
本発明に係る日除け用シートは、遮光性のある一枚のシート材に対し複数の平行四辺形を割り付け、割り付けた平行四辺形に、２つのＶ字が平行四辺形の重心付近を残して対向するように切り込みを入れ、Ｖ字をなして対向する２つの角部を互いに接合してブリッヂ部を形成したことを第２の特徴とする。【００１５】
シート材の材質は上記に述べた通りである。一枚のシート材に平行四辺形を割り付けて、それぞれの平行四辺形に２つのＶ字の切込みを入れるとともに、Ｖ字をなして対向する２つの角部を互いに接合してブリッヂ部を複数形成することにより、フラクタル構造をもつ日除け用シートを容易に得ることができる。【００１６】
本発明に係る日除け用シートは、縦紐および横紐から構成されるとともに遮光性のある一枚のシート材に対し複数の平行四辺形を割り付け、割り付けた平行四辺形に、同平行四辺形の重心に近付くにつれて２つの線が互いに接近するハの字をなす切り込みを、平行四辺形の重心付近に位置する縦紐および横紐を残して対向するように入れ、ハの字をなして対向する２つの角部が平行四辺形の重心付近に位置する縦紐または横紐を介してブリッヂ部を形成することを第３の特徴とする。【００１７】
ブリッヂ部を形成するにあたり、対向する２つの角部を接合することなく、平行四辺形の重心付近に位置する縦紐および横紐を残してこれをブリッヂ部形成用に用いるから、フラクタル構造をもつ日除け用シートをより一層容易に得ることができる。【００１８】
本発明に係る日除け用シートの製造方法は、遮光性のある平行四辺形のシート片を用意する工程と、前記シート片の、平行四辺形の対向する２辺の中点を結ぶ２本の線の交点を重点とし、ｉ番目の平行四辺形の対向する２辺の中点を結ぶ２本の線に沿って対向する２つのＶ字をなすように各中点および重心の近くを残して切り込みを入れることにより、ｉ番目の平行四辺形に一辺の長さをその半分とするｉ＋１番目の平行四辺形を４つ形成する処理を、Ｎ回だけ繰り返す工程と、各平行四辺形の、Ｖ字をなして対向する２つの角部を互いに接合してブリッヂ部を形成する工程と、前記ブリッヂ部を形成したシート片を複数継ぎ合せて一枚のシートに形成する工程とを備えることを第１の特徴とする。ここで、Ｎは有限の自然数であり、また、ｉは１から始まって１ずつ増加する。【００１９】
本発明に係る日除け用シートの製造方法によると、ブリッヂ部を階層的に形成したシート片を複数継ぎ合わせることにより、より階層の進んだフラクタル構造をもつ日除け用シートを容易に得ることができる。【００２０】
また、本発明に係る日除け用シートの製造方法は、遮光性のある一枚のシート材を用意する工程と、前記シート材に平行四辺形を複数割り付ける工程と、割り付けた平行四辺形の対向する２辺の中点を結ぶ２本の線の交点を重点とし、ｉ番目の平行四辺形の対向する２辺の中点を結ぶ２本の線に沿って対向する２つのＶ字をなすように各中点および重心の近くを残して切り込みを入れることにより、ｉ番目の各平行四辺形に一辺の長さをその半分とするｉ＋１番目の平行四辺形を４つずつ形成する処理を、Ｎ回だけ繰り返す工程と、各平行四辺形の、Ｖ字をなして対向する２つの角部を互いに接合してブリッヂ部を形成する工程とを備えることを第２の特徴とする。ここで、Ｎは有限の自然数であり、また、ｉは１から始まって１ずつ増加する。【００２１】
本発明に係る日除け用シートの製造方法によると、一枚のシート材から、より階層の進んだフラクタル構造をもつ日除け用シートを容易に得ることができる。【００２２】
また、本発明に係る日除け用シートの製造方法は、縦紐および横紐から構成されるとともに遮光性のある一枚のシート材を用意する工程と、前記シート材に平行四辺形を複数割り付ける工程と、割り付けた平行四辺形の対向する２辺の中点を結ぶ２本の線の交点を重点とし、ｉ番目の平行四辺形の対向する２辺の中点を結ぶ２本の線に沿って同平行四辺形の重心に近付くにつれて２つの線が互いに接近するハの字をなす切り込みを、平行四辺形の重心付近に位置する縦紐および横紐を残して対向するように入れることにより、ｉ番目の各平行四辺形に一辺の長さをその半分とするｉ＋１番目の平行四辺形を４つずつ形成する処理を、Ｎ回だけ繰り返す工程とを備えることを第３の特徴とする。ここで、Ｎは有限の自然数であり、また、ｉは１から始まって１ずつ増加する。【００２３】
本発明に係る日除け用シートの製造方法によると、ブリッヂ部を形成するにあたり、対向する２つの角部を接合することなく、平行四辺形の重心付近に位置する縦紐および横紐を残してこれをブリッヂ部形成用に用いるから、一枚のシート材から、より階層の進んだフラクタル構造をもつ日除け用シートをより一層容易に得ることができる。【００２４】
本発明に係る日除けは、第１または第２の特徴の日除け用シートを用い、複数の支持部材と、それらの支持部材間に架設された前記シートとを具備してなり、前記シートは、Ｖ字をなす切り込みの外側部分が第１の日除け部を構成し、Ｖ字をなして対向する２つの角部を互いに接合してなるブリッヂ部が第２の日除け部を構成し、前記ブリッヂ部と切り込みとの間に通風空間が形成されることを第１の特徴とする。【００２５】
Ｖ字をなす切り込みの外側部分が構成する第１の日除け部と、ブリッヂ部が構成する第２の日除け部が照射角度が時間によって変わる多方向からの太陽光を効果的に遮光し、日除け効果を高める。また、ブリッヂ部と切り込みとの間に形成される通風空間が空気を効果的に流通させ、日除けの表面熱を奪うとともに、日除け表面の温度上昇を抑制し、また、日除けの下部空間の熱溜まりを防止する。これにより、遮光性能および通風性能を同時に発揮し、シートでありながら、あたかも樹木の多数の枝葉が太陽光を遮光しつつ風も通すことで涼感を与えるのと同様な作用を発揮する。【００２６】
本発明に係る日除けは、第３の特徴の日除け用シートを用い、複数の支持部材と、それらの支持部材間に架設された前記シートとを具備してなり、前記シートは、ハの字をなす切り込みの外側部分が第１の日除け部を構成し、ハの字をなして対向する２つの角部が平行四辺形の重心付近に位置する縦紐または横紐を介して形成するブリッヂ部が第２の日除け部を構成し、前記ブリッヂ部と切り込みとの間に通風空間が形成されることを第２の特徴とする。
【発明の効果】
【００２７】
以上説明したように、本発明の日除け用シートによると、平行四辺形のシート片に２つのＶ字の切り込みを入れるとともに、Ｖ字をなして対向する２つの角部を互いに接合してブリッヂ部を形成しておき、かかるブリッヂ部を形成したシート片を複数継ぎ合わせることにより、また、一枚のシート材に平行四辺形を割り付けて、平行四辺形に２つのＶ字の切り込みを入れるとともに、Ｖ字をなして対向する２つの角部を互いに接合してブリッヂ部を複数形成することにより、フラクタル構造をもつ日除け用シートを容易に得ることができる。【００２８】
また、縦紐および横紐から構成されるとともに遮光性のある一枚のシート材に対し複数の平行四辺形を割り付け、割り付けた平行四辺形に、同平行四辺形の重心に近付くにつれて２つの線が互いに接近するハの字をなす切り込みを、平行四辺形の重心付近に位置する縦紐および横紐を残して対向するように入れ、ハの字をなして対向する２つの角部が平行四辺形の重心付近に位置する縦紐または横紐を介してブリッヂ部を形成することにより、フラクタル構造をもつ日除け用シートをより一層容易に得ることができる。【００２９】
また、本発明の日除け用シートの製造方法によると、より階層の進んだフラクタル構造をもつ日除け用シートを容易に得ることができる。【００３０】
さらに、本発明の日除けによると、Ｖ字をなす切り込みの外側部分が構成する第１の日除け部と、ブリッヂ部が構成する第２の日除け部が、照射角度が時間によって変わる多方向からの太陽光を効果的に遮光して日除け効果を高め、また、ブリッヂ部と切り込みとの間に形成される通風空間が空気を効果的に流通させる。これにより、遮光性能および通風性能を同時に発揮し、あたかも樹木の多数の枝葉が太陽光を遮光しつつ風も通すことで実際の涼感を与えるという優れた効果を奏する。
【図面の簡単な説明】
【００３１】
【図１】本発明の第１実施形態を示すもので、日除け用シートの製作に用いるシート片を示す斜視図、
【図２】図１のシート片に１回目の切り込みを入れた状態を示す斜視図、
【図３】図２のシート片に２回目の切り込みを入れた状態を示す斜視図、
【図４】図３のシート片に３回目の切り込みを入れた状態を示す斜視図、
【図５】図４のシート片を裏返してＶ字をなして対向する２つの角部を互いに接合してブリッヂ部を形成した状態を示す斜視図、
【図６】図５で得られたフラクタル構造のシート片をもとの表に返してそのまま支持部材に架設した状態を示す側面図、
【図７】図６における架設状態のフラクタル構造のシート片を示す斜視図、
【図８】図５で得られたフラクタル構造のシート片を継ぎ合わせて得られた日除け用シートの平面図、
【図９】図８で得られた日除け用シートを用いた日除け装置の側面図、
【図１０】本発明の第２実施形態を示すもので、１枚のシート材に複数の平行四辺形を割り付けるとともに、割り付けられた平行四辺形にＶ字の切り込みを入れる様子を示す斜視図、
【図１１】本発明の第３実施形態を示すもので、１枚のシート材に複数の平行四辺形を割り付けるとともに、割り付けられた平行四辺形にハの字の切り込みを入れる様子を示す斜視図、
【図１２】図１１のシート材に示す平行四辺形の拡大斜視図、
【図１３】図１２に示す１番目の平行四辺形の中央部分の一点鎖線Ａで囲まれる部分の拡大平面図、
【図１４】図１２に示す１番目の平行四辺形の中央部分の一点鎖線Ａで囲まれる部分の拡大斜視図、
【図１５】図１２に示す２番目の平行四辺形の拡大平面図、
【図１６】図１２に示す２番目の平行四辺形の拡大斜視図である。
【発明を実施するための最良の形態】
【００３２】
本発明を実施するための最良の形態について、図面を参照しながら説明する。図１ないし図９は本発明の一実施形態を示すもので、これらの図において、符号１は日除け用シートである。【００３３】
本発明に係る日除け用シート１を得るにあたっては、まず、フラクタル構造をもつシート片（以下、フラクタルシート片という）１００を製作する。図１はフラクタルシート片１００のベースとなるシート片１１０を示している。シート片１１０は布地からなり、全体が平行四辺形をなしている。【００３４】
まず、図１に示す平行四辺形のシート片１１０に対し１回目の切り込み１２１を入れる。１回目の切り込み１２１は、図２に示すように、シート片１１０の、平行四辺形の対向する２辺の中点を結ぶ２本の線の交点を重点Ｇ１とし、平行四辺形の対向する２辺の中点を結ぶ２本の線に沿って対向する２つのＶ字をなすように、各中点および重点Ｇ１の近くを残して入れる。これにより、１番目（ｉ＝１）の平行四辺形に一辺の長さをその半分とする２番目の平行四辺形を４個形成する。図２には、４個の平行四辺形１１１が形成されている。【００３５】
次に、４個の平行四辺形１１１のそれぞれに２回目の切り込み１２２を入れる。切り込み１２２は、図３に示すように、各平行四辺形１１１の対向する２辺の中点を結ぶ２本の線の交点を重点Ｇ２とし、各平行四辺形１１１の対向する２辺の中点を結ぶ２本の線に沿って対向する２つのＶ字をなすように、各中点および重点Ｇ２の近くを残して入れる。これにより、２番目の平行四辺形１１１に一辺の長さをその半分とする３番目の平行四辺形１１２を４個形成する。図３には、全体で１６個（＝４ｎ個）の平行四辺形１１２が形成されている。【００３６】
次に、１６個の平行四辺形１１２のそれぞれに３回目の切り込み１２３を入れる。切り込み１２３は、図４に示すように、各平行四辺形１１２の対向する２辺の中点を結ぶ２本の線の交点を重点Ｇ３とし、各平行四辺形１１２の対向する２辺の中点を結ぶ２本の線に沿って対向する２つのＶ字をなすように、各中点および重点Ｇ３の近くを残して入れる。これにより、３番目の平行四辺形１１２のそれぞれに一辺の長さをその半分とする４番目の平行四辺形１１３を４個形成する。図４には、全体で６４個（＝４ｎ個）の平行四辺形１１３が形成されている。【００３７】
次に、図５に示すように、各平行四辺形の、切り込みによりＶ字をなして対向する２つの角部を互いに接合することによりブリッヂ部を形成する。すなわち、１番目の平行四辺形においては、切り込み１２１によりＶ字をなして対向する２つの角部１３１，１３１（図２参照）を互いに接合してブリッヂ部１４１（図５参照）を形成し、２番目の４個の平行四辺形１１１においては、切り込み１２２によりＶ字をなして対向する２つの角部１３２，１３２（図３参照）を互いに接合してブリッヂ部１４２（図５参照）をそれぞれ形成し、３番目の１６個の平行四辺形１１３においては、切り込み１２３によりＶ字をなして対向する２つの角部１３３，１３３（図４参照）を互いに接合してブリッヂ部１４３（図５参照）をそれぞれ形成する。図５には全体で１個（大）＋４個（中）＋１６個（小）＝合計２１個のブリッヂ部が形成されている。接合方法としては、角部同士を縫い合わせる他、接着剤等で接合する方法がある。【００３８】
以上のようにして平行四辺形のシート片１１０に対しブリッヂ部１４１〜１４３を形成することにより階層的なフラクタル構造をもつフラクタルシート片１００が出来上がる。図６および図７に、得られたフラクタルシート片１００を支持部材２００に架設した状態を示す。図６は側面図、図７は斜視図である。支持部材２００に架設された状態で、フラクタルシート片１００は、図６に示すように側面視して三角形をなし、フラクタルシート片１００の一番外側の三角形の内側に複数の相似形の三角形が階層的（Ｎ＝３）に包含されている。すなわち、支持部材２００に架設された状態で、フラクタルシート片１００は階層的（Ｎ＝３）なフラクタル構造を備えていることが分かる。【００３９】
また、図７の斜視図に示すように、支持部材２００に架設された状態で、フラクタルシート片１００は切り込み１２１によりＶ字をなして対向する２つの角部１３１，１３１同士の接合によりブリッヂ部１４１が形成され、切り込み１２２によりＶ字をなして対向する２つの角部１３２，１３２同士の接合によりブリッヂ部１４２が形成され、切り込み１２３によりＶ字をなして対向する２つの角部１３３，１３３同士の接合によりブリッヂ部１４３が形成されていることが分かる。【００４０】
次に、複数のフラクタルシート片１００を継ぎ合わせる。図８にその継ぎ合わせの例を平面図で示す。図８の平面図に示すように、図６に示す支持部材２００の長さ方向Ｘ（図８の縦方向）には、フラクタルシート片１００の、１番目の平行四辺形の２つの対角線のうち、短い方の対角線の両端に位置する角１０１どうしを順次継ぎ合わせる。また、支持部材２００の長さ方向と直交する方向Ｙ（図８の横方向）には、フラクタルシート片１００の、１番目の平行四辺形の２つの対角線のうち、長い方の対角線の両端に位置する角１０２どうしを、順次継ぎ合わせる。なお、図８では継ぎ合わせた各フラクタルシート片１００は外形のみ描き、切り込み等は省略してある。【００４１】
また、上記のようにして縦横に継ぎ合わせたフラクタルシート片１００の間に、別のフラクタルシート片１００’を継ぎ合わせる。すなわち、フラクタルシート片１００’の、１番目の平行四辺形の短い方の対角線の両端に位置する角１０１’は、フラクタルシート片１００の、１番目の平行四辺形の長い方の対角線の両端に位置する角１０２に継ぎ、フラクタルシート片１００’の、１番目の平行四辺形の長い方の対角線の両端に位置する角１０２’は、フラクタルシート片１００の、１番目の平行四辺形の短い方の対角線の両端に位置する角１０１に継ぎ合わせる。また、必要に応じて斜め四方のフラクタルシート片１００とも１箇所ずつ継ぎ合わせる。【００４２】
このようにしてフラクタルシート片１００およびフラクタルシート片１００’を継ぎ合わせて１枚のフラクタル構造の日除け用シート１を得ることができる。図８に示す日除け用シート１は、フラクタルシート片１００を、図８の縦方向（Ｘ方向）に６枚、図８の横方向（Ｙ方向）に６枚継ぎ合わせるとともに、その間にフラクタルシート片１００’を図７の縦方向に５枚継ぎ合わせて形成されている。【００４３】
なお、フラクタルシート片１００およびフラクタルシート片１００’を適宜数縦横および斜めに継ぎ合わせることにより、略正方形、略長方形、略五角形、略六角形、略八角形など、様々な形およびサイズのフラクタル構造の日除け用シート１が得られる。【００４４】
図９は、図８の日除け用シート１を用いて設置された日除け装置の側面図を示している。日除け装置１０は、支柱１１と、支柱１１の上端から前方に延びる第１水平部材１２と、第１水平部材１２の前後両端から左右（紙面に対し垂直方向）に延びる第２水平部材１３，１３と、第２水平部材１３，１３間に左右に可動体１４Ａを介して可動可能に支持された複数本（図示例では５本）の支持部材１４と、複数本の支持部材１４に架け渡された１枚の日除け用シート１とから構成されている。【００４５】
図８の日除け装置１０によると、日除け用シート１の、Ｖ字をなす各切り込み１２１〜１２３の外側部分が第１日除け部２（図６および図７参照）を構成し、Ｖ字をなして対向する２つの角部を互いに接合してなるブリッヂ部１４１〜１４３が第２日除け部３（図６および図７参照）を構成する。また、ブリッヂ部１４１〜１４３と切り込み１２１〜１２３との間に通風空間４（図６および図７参照）が形成される。【００４６】
そして、Ｖ字をなす切り込みの外側部分が構成する第１日除け部２と、ブリッヂ部１４１〜１４３が構成する第２日除け部３が、照射角度が時間によって変わる多方向からの太陽光を効果的に遮光し、日除け効果を高める。また、ブリッヂ部１４１〜１４３と切り込み１２１〜１２３との間に形成される各通風空間４が空気を効果的に流通させ、日除け用シート１の表面熱を奪うとともに、日除け用シート１の表面の温度上昇を抑制し、また、日除け用シート１の下部空間の熱溜まりを防止する。これにより、遮光性能および通風性能を同時に発揮し、シートでありながら、あたかも樹木の多数の枝葉が太陽光を遮光しつつ風も通すことで涼感を与えるのと同様な作用を発揮する。【００４７】
図１０は、本発明の第２実施形態を示すもので、図中、符号１５０はフラクタル構造の日除け用シートを示している。フラクタル構造の日除け用シート１５０を得るには、長方形の１枚のシート材１５１に対し、多数の平行四辺形１５２を割り付け、各平行四辺形１５２に対し１回目の切り込み１２１を入れる。１回目の切り込み１２１は、シート材１５１の、平行四辺形１５２の対向する２辺の中点を結ぶ２本の線の交点を重点とし、平行四辺形１５２の対向する２辺の中点を結ぶ２本の線に沿って対向する２つのＶ字をなすように、各中点および重点の近くを残して入れる。これにより、１番目の平行四辺形１５２に一辺の長さをその半分とする２番目の平行四辺形を４個形成する。【００４８】
以下、同様にして、４個の平行四辺形のそれぞれに２回目の切り込み１２２を入れて、２番目の平行四辺形に一辺の長さをその半分とする３番目の平行四辺形を４個、全体で１６個の平行四辺形を形成し、１６個の平行四辺形のそれぞれに３回目の切り込みを入れて、３番目の平行四辺形に一辺の長さをその半分とする４番目の平行四辺形を４個、全体で６４個の平行四辺形を１番目の平行四辺形１５１内に形成する。【００４９】
以上の１回目から３回目の切り込みを全ての平行四辺形１５２内に形成し、その後、第１実施形態で説明したように、各平行四辺形の、切り込みによりＶ字をなして対向する２つの角部を互いに接合してブリッヂ部を形成する。【００５０】
これにより、一枚の平行四辺形のシート材１５１から階層的（Ｎ＝３）なフラクタル構造を備えた日除け用シート１５０を得ることができる。なお、シート材１５１から平行四辺形が割り付けられなかった周辺部の残りはカットし、図８で示す日除け用シート１と同様の外縁形状としてよい。【００５１】
図１１ないし図１６は、本発明の第３実施形態を示すもので、図１１中、符号２５０はフラクタル構造の日除け用シートを示している。本実施形態においては、縦紐２５１Ａおよび横紐２５１Ｂ（図１３参照）が格子状に織られた長方形のシート材２５１を用いる。まず、１枚のシート材２５１に対し、多数の平行四辺形２５２を割り付け、各平行四辺形２５２に対し１回目の切り込み２５３を入れる。１回目の切り込み２５３は、図１２に示すように、平行四辺形２５２の対向する２辺の中点を結ぶ２本の線の交点を重点Ｇ４とし、平行四辺形２５２の対向する２辺の中点を結ぶ２本の線に沿って対向する２つのハの字をなすように、各中点と重点Ｇ４における縦紐２５１Ａおよび横紐２５１Ｂ（図１３参照）を残して入れる。このとき２つのハの字は、平行四辺形２５２の重心Ｇ４に近付くにつれて２つの線が互いに接近する形で切り込み２５３を入れる。これにより、１番目の平行四辺形２５２に一辺の長さをその半分とする２番目の平行四辺形２５２Ａを４個形成する。【００５２】
以下、同様にして、４個の平行四辺形２５２Ａのそれぞれに２回目の切り込み２５４をハの字の形で入れて、２番目の平行四辺形２５２Ａに一辺の長さをその半分とする３番目の平行四辺形２５２Ｂを４個、全体で１６個の平行四辺形を１番目の平行四辺形２５２内に形成する。【００５３】
以上の１回目から２回目の切り込み２５３〜２５４を全ての平行四辺形２５２内に形成する。図１３および図１４は、１回目の切り込み２５３が入れられた平行四辺形２５２の重心Ｇ４付近（図１２の一点鎖線Ａで示す範囲）を示している。図１３に示すように、平行四辺形２５２には、同平行四辺形２５２の重心Ｇ４に近付くにつれて２つの線が互いに接近するハの字をなす切り込み２５３が、平行四辺形２５２の重心Ｇ４上に位置する縦紐２５１Ａおよびその下の横紐２５１Ｂを残して対向するように入れられ、図１４に示すように、ハの字をなして対向する２つの角部２５５，２５５が平行四辺形２５２Ａの重心Ｇ４’上に位置する横紐２５１Ａを介してブリッヂ部２５６を形成している。【００５４】
図１５および図１６は、２回目の切り込み２５４が入れられた平行四辺形２５２Ａを示している。図１５に示すように、平行四辺形２５２Ａには、同平行四辺形２５２Ａの重心Ｇ４に近付くにつれて２つの線が互いに接近するハの字をなす切り込み２５４が、平行四辺形２５２Ａの重心Ｇ４上に位置する縦紐２５１Ａおよびその下の横紐２５１Ｂを残して対向するように入れられ、図１６に示すように、ハの字をなして対向する２つの角部２５７，２５７が平行四辺形２５２Ａの重心Ｇ４’上に位置する横紐２５１Ａを介してブリッヂ部２５８を形成している。なお、図１５および図１６中、四辺のうち両隣りの二辺には１回目の切り込み２５３が入るが、図面では省略してある。【００５５】
これにより、一枚のシート材１５１からブリッヂ部２５６，２５８による階層的（Ｎ＝３）なフラクタル構造を備えた日除け用シート２５０を得ることができる。なお、シート材２５１から平行四辺形が割り付けられなかった周辺部の残りはカットし、図８で示す日除け用シート１と同様の外縁形状としてよい。【００５６】
本実施形態によると、ブリッヂ部２５６，２５８を形成するにあたり、前述の実施形態のように対向する２つの角部２５５，２５５どうしおよび２つの角部２５７，２５７どうしを接合することなく、平行四辺形２５２，２５２Ａの各重心Ｇ４に位置する横紐２５１Ａを残してこれをブリッヂ部形成用に用いるから、フラクタル構造をもつ日除け用シートをより一層容易に得ることができる。
【産業上の利用可能性】
【００５７】
本発明に係る日除け用シートは、太陽光を遮光する日除け用のシートとして、あるいは建物や車への太陽光の照射熱を放熱する放熱用シートとして利用可能である。
利用可能である。
【符号の説明】
【００５８】
１，１５０，２５０  日除け用シート
２  第１日除け部
３  第２日除け部
４  通風空間
１０  日除け装置
１１  支柱
１２  第１水平部材
１３  第２水平部材
１４，２００  支持部材
１００，１００’  フラクタルシート片（シート片）
１０１，１０１’，１０２，１０２’  角
１１０  シート片
１１１，１１２，１１３，１５２，２５２，２５２Ａ  平行四辺形
１２１，１２２，１２３，２５３，２５４  切り込み
１３１，１３２，１３３，２５５，２５７  角部
１４１，１４２，１４３，２５６，２５８  ブリッヂ部
１５１，２５１  シート材
２００  支持部材
２５１Ａ  縦紐
２５１Ｂ  横紐
Ｇ１，Ｇ２，Ｇ３，Ｇ４  重心
Ｘ  支持部材の長さ方向
Ｙ  支持部材の長さ方向と直交する方向
Ｙ’山折れ線
【図１】
0005591252.tif 000002
【図２】
0005591252.tif 000003
【図３】
0005591252.tif 000004
【図４】
0005591252.tif 000005
【図５】
0005591252.tif 000006
【図６】
0005591252.tif 000007
【図７】
0005591252.tif 000008
【図８】
0005591252.tif 000009
【図９】
0005591252.tif 000010
【図１０】
0005591252.tif 000011
【図１１】
0005591252.tif 000012
【図１２】
0005591252.tif 000013
【図１３】
0005591252.tif 000014
【図１４】
0005591252.tif 000015
【図１５】
0005591252.tif 000016
【図１６】
0005591252.tif 000017